(57)【要約】【課題】外容器と内容器との分離や組み付けが容易にして、化粧料容器にも好適な外観に優れた容器にする。【解決手段】フィルム３の下端部に円形の底板４を結合すると共に前記フィルム３の上端部に外周に雄ネジ６が刻設されたリング５を結合して内胴部材２を形成し、前記内胴部材２を充填口部材１０の肩部１１の下面に溶着して成るボトル状の内容器１と、前記充填口部材１０の外面にアンダーカット結合により一体化され前記内容器１を閉塞するディスペンサー２０と、開口部３１の内面に前記雄ネジ６と螺合可能な雌ネジ３２を刻設し前記内容器１を挿脱可能に収容する有底筒状の外容器３０と、を有し、前記内容器１と前記外容器３０が前記雄ネジ６と前記雌ネジ３２の螺合により組み付けられる。【選択図】      図２
2004307048.tif 000002
【特許請求の範囲】
【請求項１】
円筒状のフィルムの下端部に円形の底板を結合すると共に前記フィルムの上端部に外周に雄ネジが刻設されたリングを結合して内胴部材を形成し、前記内胴部材を充填口部材の肩部下面に溶着して成るボトル状の内容器と、前記充填口部材の外面にアンダーカット結合により一体化され前記内容器を閉塞するディスペンサーと、開口部の内面に前記雄ネジと螺合可能な雌ネジを刻設し前記内容器を挿脱可能に収容する有底筒状の外容器と、を有し、前記内容器と前記外容器が前記雄ネジと前記雌ネジの螺合により組み付けられることを特徴とするディスペンサー付き二重容器。
【請求項２】
前記充填口部材における少なくとも肩部の外周面を、前記ディスペンサーにおける肩部の外周面と前記外容器との間に露見する構成としたことを特徴とする請求項１記載のディスペンサー付き二重容器。
【請求項３】
前記充填口部材における少なくとも肩部の外周面を、前記ディスペンサーの外周面および前記外容器の色と異なる色にしたことを特徴とする請求項２記載のディスペンサー付き二重容器。
【発明の詳細な説明】
【０００１】
【産業上の利用分野】
本発明は、流動物が充填される柔軟性の内容器と、該内容器を収納する外容器と、内容器を収縮させながら内容器内の流動性内容物を注出するディスペンサーを具備したディスペンサー付き二重容器に関する。
【０００２】
【従来の技術】
従来より、この類のディスペンサー付き二重容器として、例えば、実開平５−７５１６３号公報や特開２００１−３３５０８７号公報に開示されたものが知られており、流動性内容物の保存と注出に好適にして、シャンプーやリンスのリフィル性容器として利用性が高いものである。
【０００３】
これら従来の二重容器における外容器の部分は、容器本体と、この本体にネジ嵌合により外嵌する中央に貫通穴を有する蓋体との２部品で構成されている。そして、この外容器に収納される内容器は、その頚部を前記蓋体の貫通穴から突出し、頚部にディスペンサーを螺子嵌合することにより、内容器とディスペンサーとで蓋体を挟持し、外容器内において蓋体に懸垂状態に組み付けられている。
【０００４】
【発明が解決しようとする課題】
これら従来の二重容器を組み付けるには、流動性内容物が充填された内容器の頚部を蓋体の貫通穴を通して、該頚部にディスペンサーをネジ嵌合させることにより、蓋体を内容器とディスペンサーとで挟持した状態に組み付け、更に、内容器とディスペンサーが取り付けられた蓋体を本体にネジ嵌合により外嵌させなければならない。従って、この複雑な作業は、消費者には、煩わしいうえに、組み付けられた二重容器は、その蓋体の肩部から容器本体の上端部外周に垂下する蓋体のネジ部外周壁が、容器本体の上部に幅広く露出する構成となるので、デザイン的な面白味に乏しく、外観美が要求される化粧料容器としては難点の多い容器であった。
【０００５】
また、これら従来の二重容器のリフィールを交換するときは、組み付け手順とは反対手順に、容器本体と蓋体の嵌合を解除し、更に内容器とディスペンサーの嵌合を解除することにより、容器本体と蓋体と内容器とディスペンサーとの四つのパーツに分解される。従って、消費者には解体作業が難しいうえに、分離分解された各パーツの管理や、パーツに付着した内容物による周囲の汚染、パーツの衛生にも気配りを必要とすることから、取り扱いの難しい容器であった。
【０００６】
本発明は、外容器と内容器との分離や組み付けが容易にして、化粧料容器にも好適な外観に優れた容器にすることにある。
【０００７】
【課題を解決するための手段】
上記の問題を解決するために、本発明は、円筒状のフィルムの下端部に円形の底板を結合すると共に前記フィルムの上端部に外周に雄ネジが刻設されたリングを結合して内胴部材を形成し、前記内胴部材を充填口部材の肩部下面に溶着して成るボトル状の内容器と、前記充填口部材の外面にアンダーカット結合により一体化され前記内容器を閉塞するディスペンサーと、開口部の内面に前記雄ネジと螺合可能な雌ネジを刻設し前記内容器を挿脱可能に収容する有底筒状の外容器と、を有し、前記内容器と前記外容器が前記雄ネジと前記雌ネジの螺合により組み付けられるようにした。
【０００８】
上記の構成としたことにより、流動性内容物を充填した内容器にディスペンサーをアンダーカット結合することにより、内容器とディスペンサーは分離不能となり、充填内容物は吐出可能に密封性が維持され、衛生的に保たれる。また、内容器におけるリングの雄ネジと外容器における開口部の雌ネジを螺合することにより、内容器を外容器に内嵌合状態に簡便に固着することができると共に、容易に分離することができる。
【０００９】
また、前記充填口部材における少なくとも肩部の外周面を、前記ディスペンサーにおける肩部の外周面と前記外容器との間に露見させることにより、リング状のデザインを容器の外周面に構成することができる。
【００１０】
また、前記充填口部材における少なくとも肩部の外周面を、前記ディスペンサーにおける肩部の外周面および前記外容器の色と異なる色にすることにより、リング状のデザインを際だたせることが好ましい。
【００１１】
【発明の実施の形態】
以下、図面に基づいて、本発明のディスペンサー付き二重容器について説明する。
【００１２】
図１乃至図５は、本発明の好適な一実施の形態示すものであり、内胴部材２を充填口部材１０の肩部１１下面に溶着して成るボトル状の内容器１と、充填口部材１０の外面にアンダーカット結合により一体化されるディスペンサー２０と、内容器１を挿脱可能に収容する有底筒状の外容器３０と、を有して構成されている。符号３５は、ディスペンサー２０の頚部２３に外嵌する蓋体である。
【００１３】
内容器１における内胴部材２は、円筒状のフィルム３の下端部に円形の底板４を結合すると共にフィルム３の上端部に外周に雄ネジ６が刻設されたリング５を結合して形成されている。
【００１４】
円筒状のフィルム３は、矩形に裁断したラミネートフィルムを丸めてその側端部どうしを接合形成したフレキシブル性の高いものである。使用するラミネートフィルムの中間層にはバリア性の高い合成樹脂フイルムが選択され、外層には底板４とリング５とに溶着性の良い合成樹脂フィルムが選択されている。
【００１５】
ラミネートフィルを構成するフィルム材としては、ポリエチレンフィルム、ポリエステルフィルム、ポリプロピレンフィルムが好適であり、中間層に金属蒸着やシリカ蒸着を施したフィルムを使用してバリア性を高くしてもよい。
【００１６】
円筒状のフィルム３に底板４とリング５を一体結合する方法としては、熱溶着方法かインサート成形方法によることが好ましい。即ち、熱溶着方法では、底板４とリング５とを個別に成形し、底板４を円筒状のフィルム３の下端部内周面に溶着し、リング５を円筒状のフィルム３の上端部外周に溶着することにより一体に結合する。また、インサート成形方法では、リング５と底板４を成形する金型内に円筒状のフィルム３をインサートし、射出成形方法によりリング５と底板４を成形すると同時にフィルム３と一体に結合する。
【００１７】
内容器における充填口部材１０は、平坦な肩部１１の中央部に頚部１２が立設されて成り、肩部１１の下面にはガイド壁１３が垂設され、ガイド壁１３の基端部外周に沿って凹溝１４が刻設されており、凹溝１４には超音波リブ１５が突設されている。また、頚部１２の外周面にはアンダーカット係合用の突起１６と、回り止め用の縦リブ１７が形成されている。
【００１８】
充填口部材１０と内胴部材２を一体に組み付けるには、充填口部材１０の凹溝１４内に内胴部材２のリング５の上端部を嵌合し、超音波振動により超音波リブ１５を溶かして液密に溶着する。
【００１９】
ディスペンサー２０は、充填口部材１０の肩部１１とほぼ同外径寸法の平坦な肩部２２に頚部２３を立設した蓋状部材２１内に、押しボタン２４を装着したポンプ機構２５を内装して成るものであり、蓋状部材２１における頚部２３の内面には、充填口部材１０の突起１６とアンダーカット係合することにより抜け止めとなる内向き突起２６が突設されているとともに、充填口部材１０の縦リブ１７と係合することにより回り止めとなる縦リブ２７が設けられている。
【００２０】
外容器３０は、ＳＡＮ、ＰＥＴ、ＰＳ、ＰＭＭＡ、ＡＢＳ、ＰＰ、ＰＥ等、剛性のある熱可塑性樹脂を用いて射出成形方法により、有底筒状に形成されており、その開口部３１の内周面には、内容器１におけるリング５の外周に刻設した雄ネジ６と螺合可能な雌ネジ３２が刻設されている。
【００２１】
上記のパーツから構成される本容器を組み立てるには、通常、図４に示すように、外容器３０に内容器１の内胴部２を挿入し、内容器１におけるリング５の雄ネジ６と外容器３０における開口部３０の雌ネジ３２を螺合することにより内嵌合状態に二重容器Ｎを形成し、充填口部材１０の開口１８から流動物を充填した後、ディスペンサー２０を内容器１の充填口部材１０に被せ、治具により、充填口部材１０の縦リブ１７と蓋状部材２１の縦リブ２７を歯合させるとともに、充填口部材１０の突起１６と蓋状部材２１の内向き突起２６を係合させ、蓋状部材２１を充填口部材１０の外面に相互回転不能にアンダーカット結合する。この作業により、ディスペンサー２０が内容器１に固定され、内容器１の開口１８を閉塞する。
【００２２】
内容器１とディスペンサー２０は分離不能となることから、充填内容物は、吐出可能に密封性が維持され、衛生的に保たれる。また、内容器１を外容器３０に内嵌合状態にネジ嵌合で固着する構成としたことから、内容器１の充填口部材１０における肩部１１の外周面１１ａを、ディスペンサー２０における肩部２２の外周面２２ａと外容器１の開口端との間にリング状に露見する構成とすることが可能となり、美的効果を奏するデザインとすることができる。
【００２３】
また、充填口部材１０における肩部１１の外周面１１ａに、ホットスタンプ等の加飾を施し、ディスペンサー２０における肩部２２の外周壁２２ａおよび外容器３０の色と異なる色にすることにより、リング状のデザインを際だたせることが可能であり、化粧料容器として好適な容器とすることができる。
【００２４】
また、本発明に係る容器をカートリッジ式容器として使用するときは、図５に示すように、先ず、内容器１に流動物を充填し、これにディスペンサー２０を分離不能にアンダーカット結合することにより、ティスペンサー付きのカートリッジＫを形成する。このカートリッジＫは、ネジ嵌合により外容器１に内嵌合状態に簡単に固着することができると共に、カートリッジＫと外容器３０との２部品に容易に分離することが可能であることから、カートリッＫジの交換が極めて容易である。
【００２５】
また、本実施の形態の容器は、内容器１の内胴部材２にフレキシブル性の高いラミネートフィルムを使用したので、ディスペンサー２０の作動により収納液を吐出すると、内容器１内に発生する負圧によりフイルム３が吐出量に応じて極めて容易に収縮し、収納液を無駄なく排出することができる。
【００２６】
【発明の効果】
以上、説明したように、本発明のディスペンサー付き二重容器は、ディスペンサーが内容器に相互回転不能にアンダーカット結合され、内容器におけるリングの雄ネジと外容器における開口部の雌ネジを螺合することにより、内容器を外容器に内嵌合状態に組み付ける構成としたので、組み立て作業および内容器の外容器への嵌脱が容易であり、内容器の肩部外周面を、ディスペンサーの肩部外周面と外容器との間にリング状に露見させることにより、デザイン的効果を奏し、化粧料容器として好適に利用することができる。
【００２７】
また、カートリッジ式容器として使用する場合には、カートリッジと外容器との二つのパーツに分離し、二つのパーツを組み付ける簡単な作業でカートリッジの交換ができるので、取り扱いが極めて容易である。
【図面の簡単な説明】
【図１】本発明のディスペンサー付き二重容器の実施の形態を、一部を截切して示す正面半断面図。
【図２】図１の容器を分解して示す断面図。
【図３】図１の容器を分解して示す正面図。
【図４】図１の容器の通常の組み立て手順を説明する断面図。
【図５】図１の容器をカートリッジ式容器として使用する場合の組み立て手順を説明する断面図。
【符号の説明】
１  内容器，２  内胴部材，３  筒状のフィルム，４  底板，５  リング，６  雄ネジ，１０  充填口部材，１１  肩部，１１ａ  外周面，２０  ディスペンサー，２２  肩部，２２ａ  外周面，３０  外容器，３１  開口部，３２  雄ネジ
【図１】
2004307048.tif 000003
【図２】
2004307048.tif 000004
【図３】
2004307048.tif 000005
【図４】
2004307048.tif 000006
【図５】
2004307048.tif 000007